(57)【特許請求の範囲】
【請求項１】
ロッキング片とデッドボルトとの間に関係するように設けられ、かつ、キー又はサムターンの施錠方向への回転操作により回転して周りの一側壁に形成された係合突起爪が前記ロッキング片の被係合部とロック状態に係合するダルマ、ダルマが施錠方向へ所定量回転した際にダルマの前記周りの他側壁に突出形成された駆動腕に押し出されるデッドボルト、一端部が錠ケースに軸支された前記ロッキング片の他端部に枢支ピンを介して作動杆が連結されたソレノイド、このソレノイドに電気的に接続して錠ケースの外部に適宜に設置された制御装置、この制御装置に前記ロッキング片用のロック解除信号を入力させることができるロック解除信号発生媒体手段とから成る機械的錠前の施解錠装置。
【請求項２】
請求項１に於いて、ロッキング片６は錠ケース１内に内装された復帰バネにより常にダルマの係合突起爪と係合可能なロック方向に付勢されていると共に、錠ケース内に固定されたストッパーピンにストッパーされていることを特徴とする機械的錠前の施解錠装置。
【請求項３】
請求項１に於いて、制御装置にはロック解除信号発生媒体手段が正規のものである時に一定時間ソレノイドに給電させるタイマー回路が電気的に接続していることを特徴とする機械的錠前の施解錠装置。
【請求項４】
ダルマがロッキング片とデッドボルトとの間に関係するように設けられ、かつ、キー又はサムターンの施錠方向への回転操作により回転して周りの一側壁に形成された係合突起爪がロッキング片の被係合部とロック状態に係合するダルマ、ダルマが施錠方向へ所定量回転した際にダルマの前記周りの他側壁に突出形成された駆動腕に押し出されるデッドボルト、一端部が錠ケースに軸支された前記ロッキング片の他端部に枢支ピンを介して作動杆が連結されたソレノイド、このソレノイドに電気的に接続し、かつ、管理人室ないし屋内に設置されたソレノイド用電源スイッチ、この電源スイッチを介して前記ソレノイドを制御する制御装置とから成る機械的錠前の施解錠装置。
【発明の詳細な説明】
【０００１】
【産業上の利用分野】
本発明は、主として保管・管理を重要視する銀行、研究所などの管理室のドアの錠前に使用される機械的錠前の施解錠装置に関する。
【０００２】
【従来の技術】
一般に、キー又はサムターンの解錠方向への回転操作により、ダルマ（デッドボルト用の駆動体）が回転すると、デッドボルトが錠ケースのフロントから出没する一般的あるいは機械的な錠前を、そのまま保管・管理を重要視する銀行、研究所などの管理室のドアに使用するのは相応しくない。
【０００３】
それは合鍵さえあれば管理室に誰でも自由に出入りすることができ、またピッキングによる不正解錠により、外部から侵入される恐れが十分に存在するからである。
【０００４】
そこで、従来、電気錠と磁気カードシステム、あるいは電気錠とテンキーシステムとの組み合わせた管理タイプの施解錠装置がいくつか提案されている。しかしながら、電気錠と組み合わせた管理タイプの施解錠装置は、次に列挙するような問題点があった。
(1)構成する部品点数が多い。したがって、たとえば高価であるため気軽に実施することができず、需要者の要求に十分に答えることができない。
(2)ソレノイド側からデッドボルトを施錠状態にしておいても、合鍵さえあれば機械的にデッドボルトを解錠できる。すなわち、キーだけで解錠することができるので、盗難防止に対してセキュリーテイを十分に確保することができない。
【０００５】
そこで、上記（１）及び（２）の問題点を解消する普通の機械的な錠前と磁気カードシステム、或いは普通の機械的な錠前とテンキーシステム、或いはまた錠前と異なる場所に設置された電源スイッチなどを組み合わせた管理タイプの機械的錠前の施解錠装置の出現が要望されている。
【０００６】
【発明が解決しようとする課題】
本発明は以上のような従来の欠点に鑑み、構成する部品点数が少なく、また合鍵だけではデッドボルトを解錠することができず、さらに、ソレノイドに給電しなくてもダルマを施錠方向に回転するだけで直ちにロック状態にすることができる管理タイプの機械的錠前の施解錠装置を提供することである。
【０００７】
【課題を解決するための手段】
本発明の機械的錠前の施解錠装置は、ロッキング片とデッドボルトとの間に関係するように設けられ、かつ、キー又はサムターンの施錠方向への回転操作により回転して周りの一側壁に形成された係合突起爪が前記ロッキング片の被係合部とロック状態に係合するダルマ、ダルマが施錠方向へ所定量回転した際にダルマの前記周りの他側壁に突出形成された駆動腕に押し出されるデッドボルト、一端部が錠ケースに軸支された前記ロッキング片の他端部に枢支ピンを介して作動杆が連結されたソレノイド、このソレノイドに電気的に接続して錠ケースの外部に適宜に設置された制御装置、この制御装置に前記ロッキング片用のロック解除信号を入力させることができるロック解除信号発生媒体手段とから成る。
【０００８】
上記構成に於いては、制御装置にはロック解除信号発生媒体手段が正規のものである時に一定時間ソレノイドに給電させるタイマー回路が電気的に接続している。
【０００９】
また本発明の機械的錠前の施解錠装置は、ダルマがロッキング片とデッドボルトとの間に関係するように設けられ、かつ、キー又はサムターンの施錠方向への回転操作により回転して周りの一側壁に形成された係合突起爪がロッキング片の被係合部とロック状態に係合するダルマ、ダルマが施錠方向へ所定量回転した際にダルマの前記周りの他側壁に突出形成された駆動腕に押し出されるデッドボルト、一端部が錠ケースに軸支された前記ロッキング片の他端部に枢支ピンを介して作動杆が連結されたソレノイド、このソレノイドに電気的に接続し、かつ、管理人室ないし屋内に設置されたソレノイド用電源スイッチ、この電源スイッチを介して前記ソレノイドを制御する制御装置とから成る。
【００１０】
上記構成に於いては、この管理人室ないし屋内には送信手段からの送信信号を受信する受信手段が配備されていることを特徴とする。
【００１１】
【作用】
まずソレノイドが通電状態になった後、キー又はサムターンの解錠方向への回転操作により、ダルマが反時計方向へと回転すると、デッドボルトは錠ケース内へと後退動する。この場合ダルマがロッキング片から係脱した後に、ソレノイドはタイマー回路により通電を断たれ、その結果、ロッキング片は復帰バネのバネ力により基の位置へと戻る。この時ソレノイドの作動杆も元の状態へと伸長する。
【００１２】
次にキー又はサムターンの施錠方向への回転操作により、ダルマが時計方向へと回転すると、デッドボルトはその作動部材を介して錠ケースのフロント面から突出する。一方、ダルマの係合突起爪がロッキング片の被係合部とロック状態に係合する。この場合ロッキング片は回転して来るダルマの係合突起爪に押されると、復帰バネのバネ力に抗して反時計方向に所定量回転し、その後ダルマの係合突起爪がロッキング片の被係合部７に係合する。
【００１３】
次に錠前を解錠する場合は、ロック解除信号発生媒体手段を制御装置の挿入口に差し込む。そうすると、制御装置はそれが正規のものであるか否か判別し、判定の結果が「ＯＫ」であればタイマー回路が働き、制御装置側からソレノイドに一定時間電気が供給される。ソレノイドが通電状態になると、その作動杆は伸縮し、ロッキング片は復帰バネのバネ力に抗して反時計方向に回転する。その結果、ダルマの係合突起爪とロッキング片の被係合部との係合が解消され、合鍵があればダルマを解錠方向へと回転することが可能になる。
【００１４】
【実施例】
以下、図面に示す実施例により本発明を詳細に説明する。
【００１５】
図１ないし図６において、１は長箱状の錠ケースである。この錠ケース１は、主として保管・管理を重要視する銀行、研究所などの管理室のドアの錠前の一部を構成し、デッドボルト用の開口を有するフロント１ａが設けられている。２は錠ケース１の上部（図１を基準にする。）に固定的に設けられ、かつ、複数の電線３を案内する絶縁性の固定筒である。
【００１６】
４は図示しないキー又はサムターンの施錠方向（図１を基準にした場合は時計方向）への回転操作により回転し、係合突起爪５がロッキング片６の被係合部７とロック状態に係合するダルマである。
【００１７】
しかして、このダルマ４は、ロッキング片６と次に説明するデッドボルトとの所要空間８内に位置している。ダルマ４は錠ケース１内に固定された軸受け部材９の環状部９ａに形成された嵌合孔に回動自在に嵌合している。ダルマ４は図３で示すように中央部４ａに任意形状の軸孔１０が形成され、その中央部４ａの周りの一側壁には前述した係合突起爪５が形成され、一方、他側壁には駆動腕１１が突出形成されている。なお、１２は軸受け部材９の環状部９ａの上面に突出形成されたストッパーとしての小突起である。
【００１８】
１５はダルマ４の下方に設けられ、かつ、ダルマが施錠方向へ所定量回転した際にダルマの駆動腕１１に押し出されるデッドボルトである。デッドボルト１５は錠ケース１内に出没可能に設けられ、内端部側に作動部材１６を有する。この作動部材１６の構成は、基本的には第１バネ１７のバネ力に抗してデッドボルト１５と同方向に移動するスライダー本体１８と、このスライダー本体１８と交差する方向に第２バネ１９のバネ力に抗して移動するデッドボルト位置規制用の上下動片２０とから成り、前記スライダー本体１８の右側上部にはダルマの駆動腕１１の端部と当接する係合突起１８ａが形成されている。そして、前記上下動片２０は上下動する際にその上下の長孔２０ａを介し、スライダー本体１８に設けられた２個のガイド軸２１に案内される。
【００１９】
２５はダルマ４の上方に設けられ、かつ、一端部が錠ケース１に支軸２６を介して軸支されたロッキング片６の他端部に枢支ピン２７を介して作動杆２８が連結されたソレノイドである。
【００２０】
しかして、前記ロッキング片６は、錠ケース１の略中央部に位置し、図４で示すように一端部に軸孔３０を有する上下の対向板３１、３２と、これらの上下の対向板３１、３２を被係合部（凹所、窓孔など）７を形成するように連結する複数の連結板３４、３５とから成り、前記上下の対向板３１、３２には小さな長孔状の枢支孔３６がそれぞれ形成されている。そして、ロッキング片６は、錠ケース１内に適宜に内装された、本実施例では支軸２６に装着された復帰バネ３７により常にダルマ４の係合突起爪５と係合可能なロック方向に付勢されていると共に、錠ケース内に固定されたストッパーピン３８にストッパーされている。なお、前記ストッパーピン３８は設計如何によっては必ずしも設ける必要がなく、またストッパーピン３８に代え、軸受部材９の取り付けベース部９ｂの上辺部にストッパー壁を突出形成しても良い。またソレノイド２５は支持フレーム２９を介して縦方向に支持されている。
【００２１】
４０はこのソレノイド２５に前述した電線３を介して接続し、錠ケース１の外部、例えば錠前が取り付けられたドア付近に設置された制御装置である。この制御装置は、入力部、記憶部、判定部、出力部など必要な電気回路を有する。また実施例如何によっては声紋、網膜などをチェックするマイクロコンピューターを有する。
【００２２】
したがって、制御装置４０はある信号が入ってくると、その信号が受信部を介して記憶部に予め設定登録されている識別コード（登録内容）と一致するか否かを判別する機能を有する。
【００２３】
４１はこの制御装置４０に前述したロッキング片６用のロック解除信号を入力させ、前述した記憶部、判定部などを介してソレノイド２５を通電状態にするためのロック解除信号発生媒体手段である。しかして、ロック解除信号発生媒体手段４１は、本実施例では識別化された磁気カードないしＩＤカードなどの正規の識別カードが使用されている。したがって、制御装置４０には正規の識別カード４１を挿入することができる差し込みないし挿入口４２が設けられている。
【００２４】
ところで、ロック解除信号発生媒体手段４０は、入力手段の一種でもあるから、その入力手段がいわゆるテンキーの場合は、テンキー入力部が制御装置４０に接続している。
【００２５】
４３は制御装置４０と電気的に接続するタイマー回路で、このタイマー回路４３は、ロック解除信号発生媒体手段４０が正規のものである時に制御装置４０を介して一定時間（数秒〜数十秒間）ソレノイド２５に給電させる。ソレノイド２５の作動杆２８は制御装置４０側から給電されている間は伸縮方向（矢印Ｃとは反対方向）に吸着されている。
【００２６】
上記構成に於いては、図１で示すようにデッドボルト１５が錠ケース１のフロント１ａへと後退し、かつ、その後ソレノイド２５が非通電状態となった場合を示している。
【００２７】
すなわち、キー又はサムターンの解錠方向（図１の矢印Ａ）への回転操作により、ダルマ４が反時計方向へと回転すると、ダルマ４の駆動腕１１がデッドボルト１５の作動部材１６の係合突起１８ａと係合しているため、デッドボルト１５はその作動部材１６を介して矢印Ｂ方向へ後退動する。この場合ダルマ４の係合突起爪５がロッキング片６の被係合部７から係脱した後に、ソレノイド２５はタイマー回路４３により通電を断たれ、その結果、ロッキング片６は復帰バネ３７のバネ力によりストッパーピン３８でストッパーされる位置まで支軸２６を支点として矢印Ｃ方向へ回転し、それと同時にソレノイド２５の作動杆２８も元の状態へと伸長する。
【００２８】
次に図５がソレノイド２５が非通電状態に於いて、ダルマ４を時計方向に回転し、デッドボルト１５を施錠した場合を示している。
【００２９】
すなわち、キー又はサムターンの施錠方向への回転操作により、ダルマ４が時計方向へと回転すると、ダルマ４の駆動腕１１がデッドボルト１５の作動部材１６のスライダー本体１８と係合しているため、デッドボルト１５はその作動部材１６を介して錠ケース１のフロント１ａ面から突出する。一方、ダルマ４の係合突起爪５がロッキング片６の被係合部７とロック状態に係合し、ダルマ４はロッキング片６に係止されるが、この場合ロッキング片６は回転して来るダルマ４の係合突起爪５に押圧されると、復帰バネ３７のバネ力に抗して反時計方向に所定量回転し、その後ダルマ４の係合突起爪５がロッキング片６の被係合部７に係合すると、復帰バネ３７のバネ力により元の位置へと戻る。その結果、この状態の時にキー又はサムターンによりダルマ４を解錠方向へ回そうとしても、ダルマ４はロッキング片６により回転を阻止され、デッドボルト１５を解錠させることができない。
【００３０】
そこで、今仮にロック解除信号発生媒体手段４１の一例としての正規の識別カード４１を制御装置４０の差し込みないし挿入口４２に差し込んだとする。そうすると、制御装置４０は識別カード４１が正規のものであるか否か判別し、判定の結果が「ＯＫ」であればタイマー回路４３が働き、制御装置４０側からソレノイド２５に数秒〜数十秒間だけ電気が供給される。ソレノイド２５が通電状態になると、図６で示すように作動杆２８は伸縮し、ロッキング片６は復帰バネ３７のバネ力に抗して反時計方向に回転する。その結果、ダルマ４の係合突起爪５とロッキング片６の被係合部７との係合が解消され、さらに合鍵があればダルマ４を解錠方向へと回転することが可能になる。そして、概してデッドボルト１５が解錠状態になった頃にタイマー回路４３によりソレノイド２５への給電が断たれる。
【００３１】
【異なる実施例】
次に図７に示す本発明の異なる実施例につき説明する。なお、この実施例にあたって前記本発明の実施例と同一の部分には同一の符号を付し、重複する説明を省略する。
【００３２】
図７の第２実施例に於いて、前記実施例と主に異なる点は、正規のロック解除信号発生媒体手段を用いない点である。
【００３３】
まずセキュリテイを確保する意味では、必ずしも正規のロック解除信号発生媒体手段（テンキー、ＩＤカードなど）を用いなくても、管理室ないし屋内に当該人物の入室を許可するか否かを錠前が設けられたドアを基準にして他の場所から確認できれば本発明の構成としては十分である。
【００３４】
次に人又は物（電気的装置）が当該人物を管理室ないし屋内に入れても良いと判断した場合に、ダルマのロック状態を解消させるためにロッキング片と連結するソレノイドに給電できればそれで十分である。
【００３５】
そこで、かような観点から第２実施例では、ソレノイド２５Ａに電線３Ａを介してソレノイド用電源スイッチ５０を接続してある。しかして、電源スイッチ５０は、錠前が設けられたドア以外の管理人室ないし屋内（錠前が設けられたドアを有する管理室も含む。）５１に設置され、この管理人室ないし屋内には送信手段５２からの有線又は無線の送信信号５３を受信する受信手段５４が配備されている。
【００３６】
この場合送信手段は、厳密に解釈せず、例えば送信機（無線）、電話機（有線、無線を問わない）、インターホーンの話し手側の器機、監視用ビデオカメラなどである。一方受信手段は前記送信機に対応する受信機（無線）、電話機（有線、無線を問わない）、インターホーンの聞き手側の器機、監視用ビデオカメラと電気的に接続するモニターテレビなどである。そして、近年はコンピューター時代であることから、当然に声紋、網膜などをチェックするマイクロコンピューターも含まれる。なお、５５は電源である。
【００３７】
上記構成に於いては、例えば送信手段５２から受信手段５４へと送信信号５３が送られてきたならば、管理人室の管理人ないし屋内にいる人は、当該人物を部屋に入れるべきか否かを判断する。この場合制御装置が声紋などをチェックするマイクロコンピューターを有している実施例に於いては、自動的にその判断がなされる。そして、「入室ＯＫ」ならば電源スイッチ５０を「ＯＮ」にする。そうすると、電源５５から電線３Ａを介してソレノイド２５Ａに電気が供給され、その作動杆２８Ａが伸縮し、ロッキング片６Ａが矢印Ｃとは逆方向（反時計方向）に回転する。その結果、合鍵でダルマ４Ａを矢印Ａの解錠方向に回転することが可能となる。
【００３８】
【発明の効果】
以上の説明から明らかなように、本発明にあっては次に列挙するような効果がある。
（１）中央部４ａの周りの一側壁に係合突起爪５が形成され、一方、その他側壁には駆動腕１１が突出形成されているダルマ４を、ロッキング片６とデッドボルト１５とにそれぞれ関わり合うように所要空間８内に設けたので、構成部品点数を少なくすることができる。したがつて、錠前を安価に製作することができ、容易に実施化を図ることができる。
（２）合鍵があっても又はピッキングによる不正解錠をしようとしても正規のロック解除信号発生媒体手段を用いない限り、又は電源スイッチによりソレノイドに電気が供給されない限り、錠前を解錠することができない。したがって、保管・管理を重要視する銀行、研究所などの管理室のドアに使用し、セキュリテイ効果を十分に期待することができる。
（３）ダルマ４は、キー又はサムターンの施錠方向への回転操作により回転し、その係合突起爪５がロッキング片６の被係合部７とロック状態に係合するので、ダルマ４の施錠状態を保つためにソレノイド２５に電気を常に供給しなくても良い。したがって、節電となる。
（４）上記の場合ソレノイド２５に給電しなくてもダルマを施錠方向に回転するだけで直ちにロック状態にすることができる。
【図面の簡単な説明】
図１ないし図６は本発明の一実施例の各説明図。
【図１】解錠状態に於ける概略説明図。
【図２】図１に於ける要部の拡大図。
【図３】要部（主としてダルマ）の概略説明図。
【図４】要部（主としてロッキング片）の概略説明図。
【図５】施錠状態に於ける概略説明図。
【図６】ソレノイドが通電状態になり、ダルマがロッキング片から外れた状態の概略説明図。
【図７】本発明の異なる実施例を示す解錠状態に於ける概略説明図。
【符号の説明】
１…錠ケース、１ａ…フロント、４、４Ａ…ダルマ、５…係合突起爪、６、６Ａ…ロッキング片、７…被係合部、８…所要空間、９…軸受け部材、１０…軸孔、１１…駆動腕、１５…デッドボルト、１６…作動部材、１８…スライダー本体、２０…上下動片、２５、２５Ａ…ソレノイド、２６…支軸、２７…枢支ピン、２８…作動杆、３７…復帰バネ、３８…ストッパーピン、４０…制御装置、４１…ロック解除信号発生手段、４３…タイマー回路、５０…電源スイッチ、５１…管理人室〜屋内、５２…送信手段、５４…受信手段。
【図１】
0003619549.tif 000002
【図２】
0003619549.tif 000003
【図３】
0003619549.tif 000004
【図４】
0003619549.tif 000005
【図５】
0003619549.tif 000006
【図６】
0003619549.tif 000007
【図７】
0003619549.tif 000008